(57)【要約】      （修正有）【課題】綴じ処理された冊子を構成する用紙の角折れを防止し、用紙の整合性能に優れる用紙後処理装置を提供する。【解決手段】用紙載置台に積載する用紙の用紙搬送方向と直交する用紙幅方向を規制する一対の幅整合部材７３に、搬入した後にスイッチバックして搬送する用紙の面を上方から用紙載置台の側に押して綴じ手段に案内するガイド部材７３１を設ける。【選択図】図４
2009249049.tif 000002
【特許請求の範囲】
【請求項１】
用紙を所定方向に排出する用紙排出手段と、
前記用紙排出手段から排出された複数の用紙からなる用紙束を綴じる綴じ手段と、
前記用紙排出手段により前記所定方向に排出された用紙を前記所定方向と反対の方向に位置する前記綴じ手段に案内するとともに、前記用紙束を積載する用紙載置台と、
前記所定方向と直交する用紙の幅方向において、前記用紙載置台に積載する用紙束を規制する幅整合部材と、を備え、
前記所定方向と反対の方向に案内される前記用紙を前記用紙載置台の側へ押して前記用紙の側端部における用紙の姿勢を矯正するガイド部材を前記幅整合部材に設けたことを特徴とする用紙後処理装置。
【請求項２】
前記ガイド部材は、前記用紙排出手段により前記所定方向に排出される用紙の進行を妨げないように変位可能であることを特徴とする請求項１に記載の用紙後処理装置。
【請求項３】
前記ガイド部材は、支軸を中心に所定角度の範囲に回転可能に支持され、自重によって前記用紙を前記用紙載置台の側へ押すことを特徴とする請求項１又２に記載の用紙後処理装置。
【請求項４】
前記ガイド部材を、前記所定方向に排出される用紙の進行を妨げない待避位置に強制的に変位するガイド部材変位手段を備えることを特徴とする請求項１乃至３の何れか１項に記載の用紙後処理装置。
【請求項５】
請求項１乃至４の何れか１項に記載の用紙後処理装置と、用紙に対して画像を形成した後に、前記用紙後処理装置に対して前記用紙を搬送する画像形成装置と、を備えることを特徴とする画像処理システム。
【発明の詳細な説明】
【技術分野】
【０００１】
本発明は、電子写真複写機、プリンタ、ファクシミリ、及びこれらの諸機能を有する複合機等の画像形成装置から搬入される用紙を受容し、用紙載置台に積載して綴じ処理等の後処理を実施する用紙後処理装置に関するものである。
【背景技術】
【０００２】
複写機及びプリンタ、ファクシミリ等の画像形成装置に画像記録された用紙束を丁合して綴じ処理する用紙後処理装置（製本処理装置）を付加する高機能複合装置が多く提案されている。また、使用する紙種の範囲の拡大及びカラー印刷用途の拡大に伴い、様々な用紙に対応できる用紙後処理装置が望まれている。
【０００３】
また、綴じ処理された用紙束の端面はきれいに揃っている必要があり、この点に関する市場の要求も近年ますます厳しくなってきている。
【０００４】
用紙束の端面揃いに関して従来から各種の技術が提案されており、特許文献１では、複数枚からなる用紙束に対し綴じ処理を行う前に用紙束の後端及び側端を揃える技術が開示されている。
【０００５】
特許文献１に記載の技術では、傾斜した用紙載置台に排出される用紙の後端（搬送方向における用紙の後端）をステープル排紙センサで検知し、用紙載置台に用紙が排出される毎に用紙を叩きローラにより用紙載置台に押さえる。その結果、用紙の後端が後端フェンスに突き当り、用紙の後端が後端フェンスで揃えられる。また、用紙載置台に各用紙が排出される毎に、幅整合部材を用紙搬送方向と直交する用紙の幅方向に往復移動させ、用紙の幅方向における端面を揃えている。そして、用紙の後端と用紙の幅方向における端面を揃えた後で、用紙載置台に載置された用紙束に対して綴じ処理を行うようにしている。
【特許文献１】特開２００４−８３２６１号公報
【発明の開示】
【発明が解決しようとする課題】
【０００６】
図９は、従来の用紙後処理装置ＦＳの綴じ処理部Ｕの断面図である。
【０００７】
画像形成装置から排出された用紙Ｓは、綴じ処理部Ｕの入口搬入ローラ対１５から排出される。用紙Ｓの後端が排出した直後の用紙ＳをＸに示す。用紙Ｓは、Ｘの位置から重力によって降下し、用紙載置台７１に沿って綴じ手段７０１、７０２に案内される（図９におけるＹの位置に示す状態となる）。
【０００８】
用紙の幅方向の両端側に一対の幅整合部材７３が、用紙載置台７１に沿って配置されている。この幅整合部材７３によって用紙載置台７１に載置された用紙Ｓの幅方向は規制されている。
【０００９】
巻戻しローラ７７１は、用紙載置台７１の上方、且つ用紙Ｓの幅方向の中央部に配置され、所定のタイミングで用紙ＳをＸの位置から用紙載置台７１に押すように振り子運動を行う。振り子作動はソレノイド７７４によって作動する。用紙Ｓの後端が突当部材７２１に突き当たり、用紙Ｓは静止する。
【００１０】
このような構成の綴じ処理部Ｕにおいて、次のようなカールを有する用紙Ｓが排出されると、用紙Ｓは後端の角が折れて突当部材７２１に案内されるため、綴じ処理される際に問題が発生する。また綴じ処理部Ｕにおいて用紙Ｓが詰まり、ジャムに至る問題も発生する。
【００１１】
上記問題に係わる用紙のカールについて以下に説明する。
（１）両側立ち上りカール；用紙の幅方向端部が上方に立ち上がっているカールである。
（２）用紙角立ち上りカール；用紙の角部が上方に立ち上がっているカールである。
【００１２】
綴じ処理部Ｕにおける用紙Ｓは、用紙載置台７１と幅整合部材７３で規制されながら搬送される。（１）及び（２）のカールと反対向きのカールを有する用紙は、用紙Ｓの自重又は巻戻しローラの押しにより、用紙載置台７１にならうように矯正される。但し、（１）及び（２）のようなカールを有する用紙Ｓは、用紙載置台７１にならうように用紙のカールを矯正されない。
【００１３】
図９に示すように、用紙の面を積極的に矯正するものとして巻戻しローラ７７１がある。
【００１４】
巻戻しローラ７７１は、用紙の幅方向の中央部を上方から下方に向かって押すような構成になっている。そのために、巻戻しローラ７７１によって押された用紙Ｓは、用紙の中央部が巻戻しローラと一緒に下方に変位し、用紙の両側部は空気抵抗のため遅れて変位する。
【００１５】
従って、巻戻しローラ７７１によって、巻戻しローラ７７１の振り子作用によって、用紙Ｓの角の立ち上がりが一層大きくなり、用紙Ｓの角が折れて突当部材７２１に案内され、用紙角折れ等の冊子不良及びジャムという問題が生じる。
【００１６】
特許文献１に記載の技術では、このような用紙の角折れが考慮されておらず、上記問題を解消することが出来ない。
【００１７】
そこで、本発明の目的は、綴じ処理された冊子を構成する用紙の角折れを防止し、用紙の整合性能に優れる用紙後処理装置を提供することにある。
【課題を解決するための手段】
【００１８】
前記目的は、下記記載した発明により達成される。
１．用紙を所定方向に排出する用紙排出手段と、前記用紙排出手段から排出された複数の用紙からなる用紙束を綴じる綴じ手段と、前記用紙排出手段により前記所定方向に排出された用紙を前記所定方向と反対の方向に位置する前記綴じ手段に案内するとともに、前記用紙束を積載する用紙載置台と、前記所定方向と直交する用紙の幅方向において、前記用紙載置台に積載する用紙束を規制する幅整合部材と、を備え、
前記所定方向と反対の方向に案内される前記用紙を前記用紙載置台の側へ押して前記用紙の側端部における用紙の姿勢を矯正するガイド部材を前記幅整合部材に設けたことを特徴とする用紙後処理装置。
２．前記ガイド部材は、前記用紙排出手段により前記所定方向に排出される用紙の進行を妨げないように変位可能であることを特徴とする１に記載の用紙後処理装置。
３．前記ガイド部材は、支軸を中心に所定角度の範囲に回転可能に支持され、自重によって前記用紙を前記用紙載置台の側へ押すことを特徴とする１又２に記載の用紙後処理装置。
４．前記ガイド部材を、前記所定方向に排出される用紙の進行を妨げない待避位置に強制的に変位するガイド部材変位手段を備えることを特徴とする１乃至３の何れか１に記載の用紙後処理装置。
５．１乃至４の何れか１に記載の用紙後処理装置と、用紙に対して画像を形成した後に、前記用紙後処理装置に対して前記用紙を搬送する画像形成装置と、を備えることを特徴とする画像処理システム。
【発明の効果】
【００１９】
本発明に係わる用紙後処理装置によれば、用紙角折れ等の冊子不良を防止することができた。
【発明を実施するための最良の形態】
【００２０】
次に、本発明に係わる用紙後処理装置及び画像処理システムを図面に基づいて説明する。
【００２１】
［画像形成装置の第一の実施形態］
図１は画像形成装置Ａ、画像読み取り装置Ｂ、用紙後処理装置ＦＳから成る画像処理システムの全体構成図である。
【００２２】
画像形成装置Ａは、回転する像担持体１の周囲に、帯電手段２、像露光手段（書き込み手段）３、現像手段４、転写手段５Ａ、除電手段５Ｂ、分離爪５Ｃ、及びクリーニング手段６を配置した画像形成部を有する。帯電手段２によって像担持体１の表面に一様帯電を行った後に、像露光手段３のレーザビームによって原稿から読み取られた画像データに基づく露光走査を行って潜像を形成する。該潜像を現像手段４により反転現像して像担持体１の表面にトナー像を形成する。
【００２３】
一方、用紙収納手段７Ａから給紙された用紙Ｓは転写位置へと送られる。転写位置において転写手段５Ａによりトナー像が用紙Ｓ上に転写される。その後に、用紙Ｓは除電手段５Ｂにより裏面の電荷が消去され、分離爪５Ｃにより像担持体１から分離され、中間搬送部７Ｂにより搬送される。そして引き続き定着手段８により加熱定着され、搬送路切換板７Ｄにより下方の反転搬送路７Ｅに一旦搬送された後、逆転搬送されて画像面を下向きにして排紙部７Ｃから排出される。
【００２４】
用紙Ｓの両面に画像形成を行う場合には、定着手段８により加熱定着された用紙Ｓを、搬送路切換板７Ｄにより通常の排紙通路から分岐し、反転搬送路７Ｅにおいてスイッチバックして表裏反転した後、両面コピー搬送路７Ｆを経て給紙経路に導入される。用紙Ｓは画像形成部において画像を転写された後、定着手段８により定着処理されて、排紙部７Ｃにより装置外に排出される。排紙部７Ｃから排出された用紙Ｓは、用紙後処理装置ＦＳの受入部１０に送り込まれる。
【００２５】
転写後における像担持体１の画像処理後の表面は、分離爪５Ｃの下流においてクリーニング手段６によりクリーニングされ、像担持体１の表面に残留している現像剤が除去される。
【００２６】
画像形成装置Ａの上部前面側には、画像形成モード、用紙後処理モードを選択して設定する操作部９が配置されている。画像形成装置Ａの上部には、原稿移動型読み取り方式の自動原稿送り装置を備えた画像読み取り装置Ｂが設置されている。
【００２７】
［用紙後処理装置］
図２は、本発明に係る用紙後処理装置ＦＳ内における用紙Ｓの搬送経路を示す全体構成図である。
【００２８】
用紙後処理装置ＦＳには、図示の上段に第１給紙手段２０Ａと第２給紙手段２０Ｂと固定排紙台３０が配置され、中段に穿孔手段４０とシフト手段５０と排紙手段６０がほぼ水平をなす同一平面上に直列配置され、下段に綴じ処理部７０が傾斜面をなす同一平面上に配置されている。
【００２９】
また、用紙後処理装置ＦＳの図示左側面には、シフト処理済みの用紙Ｓ及び端綴じ処理済みの用紙束Ｓａを積載する昇降排紙台６１が配置されている。
【００３０】
用紙後処理装置ＦＳは画像形成装置Ａから搬出された用紙Ｓの受入部１０が画像形成装置Ａの排紙部７Ｃと合致するような位置と高さに調節され設置されている。
【００３１】
受入部１０には、画像形成装置Ａから画像形成された用紙Ｓと、第１給紙手段２０Ａから供給される用紙束間を仕切る合紙Ｋ１と、第２給紙手段２０Ｂから供給される表紙用紙Ｋ２とが導入される。
【００３２】
第１給紙手段２０Ａの給紙皿内に収容された合紙Ｋ１は、給紙部２１により分離、給送され、搬送ローラ２２、２３、２４に挟持されて、受入部１０に導入される。また、第２給紙手段２０Ｂの給紙皿内に収容された表紙用紙Ｋ２は、給紙部２５により分離、給送され、搬送ローラ２３、２４に挟持されて、受入部１０に導入される。
【００３３】
なお、第１給紙手段２０Ａ、第２給紙手段２０Ｂには、合紙Ｋ１、表紙用紙Ｋ２以外の用紙も装填できる。以下、合紙Ｋ１、表紙用紙Ｋ２を含めて用紙Ｓと称す。
【００３４】
受入部１０の用紙搬送方向下流側には、穿孔手段４０が配置されている。穿孔手段４０は、用紙幅方向に移動させる駆動手段、パンチ昇降駆動手段、用紙幅検知手段等から成る。
【００３５】
穿孔手段４０による穿孔位置の用紙搬送方向上流側にはレジストローラ１１が、用紙搬送方向下流側には搬送ローラ１２が、それぞれ配置されている。
【００３６】
図２に示すように、穿孔手段４０の用紙搬送方向下流側には、切り換え手段Ｇ１、Ｇ２から成る用紙分岐手段が設けられている。切り換え手段Ｇ１、Ｇ２は図示しないソレノイドの駆動により三方の用紙搬送路、即ち、上段排紙用の第１搬送路ａ、中段の第２搬送路ｂ、下段の第３搬送路ｃの何れかに選択的に分岐させる。
【００３７】
第１搬送路ａが選択されると、切り換え手段Ｇ１は第２搬送路ｂ、第３搬送路ｃを遮断し、第１搬送路ａのみを開放する。
【００３８】
第１搬送路ａを通過する用紙Ｓは、搬送ローラ３１に挟持されて上昇し、排出ローラ３２により排出され、固定排紙台３０上に載置され、順次積載される。
【００３９】
第２搬送路ｂが選択されると、切り換え手段Ｇ１は上方に退避し、切り換え手段Ｇ２は第３搬送路ｃを遮断し、第２搬送路ｂを開放し用紙Ｓの通過を可能にする。用紙Ｓは切り換え手段Ｇ１、Ｇ２の間に形成された通紙路を通過する。
【００４０】
画像形成装置Ａより排出された画像形成済みの用紙Ｓ、又は、第１給紙手段２０Ａから給送された用紙Ｓ、或いは、第２給紙手段２０Ｂから給送された用紙Ｓは、切り換え手段Ｇ１、Ｇ２の中間通紙路を通過して、シフト手段５０により用紙搬送方向に直交する方向に所定量移動するようにシフト処理され、排紙手段６０により排紙される。シフト手段５０は所定の枚数毎に、搬送幅方向に用紙Ｓの排紙位置を変えるシフト処理を行う。
【００４１】
シフト処理済みの用紙Ｓ、又はシフト処理をしない用紙Ｓは、排紙手段６０により機外の昇降排紙台６１に排出され順次載置される。この昇降排紙台６１は多数枚の用紙Ｓを排紙するときには、順次下降するように構成されており、最大約３０００枚（Ａ４、Ｂ５）の用紙Ｓを収容することが可能である。
【００４２】
図３は、綴じ処理部７０から成る後処理ユニットＵの断面図である。
【００４３】
操作部９において綴じ処理が設定されると、画像形成装置Ａで画像形成されて、用紙後処理装置ＦＳの受入部１０に送り込まれた画像形成済みの用紙Ｓは、穿孔手段４０を通過し、切り換え手段Ｇ２の下方の第３搬送路ｃに送り込まれ、搬送ローラに挟持されて下方に搬送される（図２参照）。
【００４４】
第３搬送路ｃにおいて、用紙Ｓは、搬送ローラにより搬送され、用紙先端部が入口搬送ローラ対１５の周面に当接して停止し、待機状態になる。所定のタイミングをとって、入口搬送ローラ対１５が回転し、用紙Ｓを挟持して搬送し、用紙載置台７１上に排出する。
【００４５】
入口搬送ローラ対１５の用紙搬送方向上流側に配置された入口部センサ（検知手段）ＰＳ１は、用紙Ｓの通過を検知する。
【００４６】
用紙Ｓの後端部が入口搬送ローラ対１５の挟持位置から排出された後には、用紙Ｓはその自重により用紙載置台７１の傾斜面上を下降し、用紙の後端部が綴じ手段７０１、７０２の綴じ部近傍に設けた突当部材７２１、７２２に当接して停止する。
【００４７】
突当部材７２１、７２２は、それぞれが綴じ手段７０１、７０２に取り付けらており、綴じ手段と一体的に移動している。
【００４８】
また、巻戻しローラ７７１は、支点７７２を中心に振り子運動を行い用紙束Ｓａの上面に積載された用紙Ｓを上方から叩き、浮いた用紙Ｓ及び用紙束Ｓａを用紙載置台７１の方に押している。更に、巻戻しローラ７７１は、綴じ手段７０１、７０２側へ搬送するように反時計方向に回転している。用紙Ｓの後端部が入口搬送ローラ対１５の挟持位置から排出された後、第１のタイミングに叩きソレノイド７７４がオンする。叩きソレノイド７７４の作動によって巻戻しローラ７７１が用紙Ｓに叩く。その後に叩きソレノイド７７４がオフする。第２、第３のタイミングでオン・オフを繰り返し、用紙Ｓの後端を突当部材７２１、７２２に突き当て用紙Ｓの後端揃えを確実にしている。
【００４９】
用紙Ｓが突当部材７２１、７２２に突き当り、用紙Ｓの後端揃えを終了すると、叩きソレノイド７７４がオフされ、巻戻しローラ７７１はバネの付勢力により待機位置に戻る。巻戻しローラ７７１は、用紙Ｓが入口搬送ローラ対１５から排出される時には、用紙Ｓの排紙処理を阻害しないような待機位置に在る。
【００５０】
用紙載置台７１の両側面に設けた一対の幅整合部材７３は、用紙搬送方向と直交する用紙の幅方向に移動可能であり、用紙Ｓが用紙載置台７１上に搬送される用紙受け入れ時には、用紙幅より広く開放されるように制御される。用紙Ｓが用紙載置台７１上を搬送され、突当部材７２１、７２２に当接して停止するときには、幅整合部材７３は、用紙Ｓの幅方向の側縁を軽打して用紙束Ｓａの幅揃え（幅整合）を行うように制御される。
【００５１】
上述で示したように、幅整合部材７３は、用紙束Ｓａの用紙幅方向を規制することを主要な機能としている。幅整合部材７３には、スイッチバック方向に移動する用紙Ｓの両側端を用紙載置台７１へ押しつけるように補助的に規制するガイド部材７３１を備えている。ガイド部材７３１は、側端側が浮いた用紙Ｓの側端を図７に示すような位置に変位させる。つまり、用紙の側端部を図７に示すｄの範囲に用紙Ｓの側端が収まるように、必要に応じて用紙Ｓの側端側を矯正している。
【００５２】
次にガイド部材７３１の構成を詳しく説明する。
【００５３】
図４は、幅整合部材７３に固設するガイド部材７３１の斜視図である。
【００５４】
ガイド部材７３１を支持する支持部７３Ｂは、幅整合部材７３の綴じ手段７０１、７０２の側であり、且つ上部にある。ガイド部材７３１は、ガイド板７３１Ａと支持部材７３１Ｂを一体構成にしている。
【００５５】
ガイド板７３１Ａは、ステンレス板を所定角度θで折り曲げた２つの板片（長い板片７３１Ａ１と短い板片７３１Ａ２）からなる。
【００５６】
支持部材７３１Ｂは、ポリエチレンテレフタレート等の樹脂シートを折り曲げ線で折り曲げた２つのシート片（第１シート片７３１Ｂ１と第２シート片７３１Ｂ２）からなる。ガイド板７３１Ａの長い板片７３１Ａ１と、支持部材７３１Ｂの第１シート片７３１Ｂ１との接着により、前記ガイド板７３１Ａと支持部材７３１Ｂとが一体構成になっている。
【００５７】
支持部材７３１Ｂの第２シート片７３１Ｂ２が、幅整合部材７３の支持部７３Ｂに接着、あるいは融着等により固設している。そして、前記ガイド部材７３１は、幅整合部材７３に支持され、幅整合部材７３と一体に用紙の幅方向に移動可能になっている。
【００５８】
ガイド部材７３１は、支持部材７３１Ｂの折り曲げ線を支軸にして回動可能になっている。
【００５９】
ガイド部材７３１は、ガイド板７３１Ａ自体の重さによって図４に示す支軸を中心にして回動し、ガイド板７３１Ａの短い板片７３１Ａ２が幅整合部材７３の支持部７３Ａに当たり、図示のように静止している。従って、ガイド部材７３１の回動する角度は、ガイド板７３１Ａの折り曲げ形状の角度θである。
【００６０】
ガイド板７３１Ａ自体の重さの回動力は、入口搬送ローラ対１５より搬入される用紙Ｓの進行によって、ガイド板７３１Ａが回動する程度以下である。つまり、図５に示す位置から図６に示すような位置に回動できる程度以下である。また、この回動力は、ガイド板７３１の形状、剛性等によっても変わるものである。
【００６１】
更に、この回動力は、入口搬送ローラ対１５より搬入した用紙がその後スイッチバックして後端側に搬送する際に、浮いた用紙Ｓの側端を上方から押して用紙載置台７１に変位させる程度以上である。つまり、図６に示すような位置に変位できる程度以上である。
【００６２】
従って、種々の用紙（用紙の挫屈強度、カール等が異なる）について実際に通紙実験を行って、ガイド板７３１Ａの回動力は決定されるものであり、ガイド板７３１Ａの材質、板厚、幅等の選定によって決定される。
【００６３】
図３に戻って説明を継続する。上述のように各用紙Ｓは、ガイド部材７３１によって用紙の側端を必要に応じて矯正されながら綴じ手段７０１、７０２に至る。そして、用紙Ｓは、突当部材７２１、７２２に突き当たって静止する。
【００６４】
用紙束Ｓａは、用紙載置台７１、幅整合部材７３、一対の綴じ手段で支持される。
【００６５】
そして、所定枚数の最終用紙がスタックされると、幅整合部材７３によって用紙束Ｓａは、用紙束の側端縁を軽打され、用紙の幅方向を規制される。
【００６６】
次に、一対の綴じ手段７０１、７０２は、用紙束を支持する第１の位置（用紙の幅方向における）から、用紙束に綴じ処理を行う第２の位置（用紙の幅方向における）に移動する。
【００６７】
その後、綴じ手段７０１、７０２の綴じ処理が作動し、用紙束Ｓａにステープル針が打針される。
【００６８】
綴じ処理された用紙束Ｓａは、排出ベルト７５の排出爪７６により用紙束Ｓａの後端部が押圧されて、排出ベルト７５上に載せられ、用紙載置台７１の載置面上を滑走して斜め上方に押し上げられ、排紙手段６０の排出ローラ６３の挟持位置に進行する。
【００６９】
上記の用紙束Ｓａは、回転する排出ローラ６３に挟持された昇降排紙台６１上に排出され積載する。（図２参照）。
【００７０】
上述のようなガイド部材７３１を一対の幅整合部材７３に設けることによって、種々の用紙サイズの変更に対応して、常にガイド部材７３１によって用紙載置台７１の側に押し付け、規制できる。
【００７１】
従って、先に説明した（１）両側立ち上りカール、（２）用紙角立ち上りカールのようなカールを有する用紙Ｓが用紙載置台７１に排出された場合でも、用紙Ｓの後端角が綴じ手段にスムーズに案内される所定の範囲内に収まるように矯正される。その後に、用紙Ｓは、綴じ手段７０１、７０２に案内される。
【００７２】
その結果、（１）両側立ち上りカール、（２）用紙角立ち上りカールのようなカールを有する用紙Ｓに対して、用紙の角折れ及び用紙の不揃いのない、きれいな綴じ処理済みの冊子が提供できるようになった。また、上記の用紙に起因する綴じ部ジャムも解消することができた。
【００７３】
本発明は上記実施形態に限定されるものでなく、例えば、幅整合部材７３の固定軸に前記ガイド部材を変位可能に支持するようにしもよい。
【００７４】
また、上記のガイド部材７３１にバネ等の付勢力を作用して用紙Ｓを押し付けるような構成にしても構わない。また、ガイド部材７３１は、樹脂材料の成型品でもよい。
［用紙後処理装置の第二の実施形態］
図８は、上述の第一の実施形態と異なる実施形態のガイド部材７３２に関する斜視図である。
【００７５】
第二の実施形態では、ガイド部材７３２が回転可能に幅整合部材７３に支持される点は第一の実施形態と同一であるが、つぎの点が異なる。
【００７６】
第二の実施形態のガイド部材７３２は、用紙Ｓを用紙載置台７１に押す作動位置と、搬入する用紙Ｓの進行を妨げないような待避位置にソレノイド等のガイド部材変位手段によって、外部から強制的に変位可能である。
【００７７】
ひとつの長所は、各種用紙について通紙実験を実施した上で適正なモーメント力を設定するような検討を必要しない点である。他の長所は、最適なタイミングにガイド部材を所定の作動位置に切り替えることができ、用紙の側端部の姿勢を素早くシフトすることができる点である。用紙姿勢（カール）の矯正の応答性が高い補助ガイド機構と言える。短所としては、ソレノイド等の作動機構を要し、複雑になる点がある。
【００７８】
前記ガイド部材７３２の構成について図８に従って具体的に説明する。
【００７９】
一対の幅整合部材７３には、綴じ手段側の上部にガイド部材７３２を支持する支持軸７３Ｂを有す。
【００８０】
ガイド部材７３２は、アーム７３２Ａとガイドローラ７３２Ｂで構成される。
【００８１】
アーム７３２Ａの先端部にはガイドローラ７３２Ｂが固定軸で回転可能に支持されている。ガイドローラ７３２Ｂはポリアセタール等の樹脂からなるローラである。
【００８２】
アーム７３２Ａの上部の支持穴７３２Ｃが支持軸７３Ｂに嵌合する。その結果、ガイド部材７３２は、幅整合部材７３に回動可能に支持される。
【００８３】
アーム７３２Ａの上部アーム７３２Ｄには付勢バネ７３Ｃの一端が掛けられている。付勢バネ７３Ｃの付勢力によって、ガイドローラ７３２Ｂは作動位置から待避位置に変位可能になっている。
【００８４】
付勢バネ７３Ｃの対向する側に、補助ソレノイド７７５が固設する。補助ソレノイド７７５から伸びたフックがアーム７３２Ａの上部に掛かっている。
【００８５】
補助ソレノイド７７５の駆動によって、上部アーム７３２Ｄは補助ソレノイド７７５の側に引かれる。そして、ガイドローラ７３２Ｂは、待機位置から作動位置に移動可能になっている。
【００８６】
用紙Ｓが入口搬送ローラ対１５より搬入する際には、補助ソレノイド７７５はオフ（不作動）になっており、ガイドローラ７３２Ｂは搬入する用紙Ｓの妨げにならない位置、すなわち待避位置にある。
【００８７】
次に、用紙Ｓの後端が入り口センサＰＳ１を通過すると、所定タイミングに補助ソレノイド７７５が作動する。スイッチバックして綴じ手段の側へ移動する用紙Ｓの側端部は、ガイドローラ７３２Ｂにより、上方から用紙載置台７１の側に押される。
【００８８】
上述の第二の実施形態では、用紙サイズの変更に拘わらず、スイッチバックして後端側へ搬送する用紙Ｓの両側端部が、ガイドローラ７３２Ｂによって上方から用紙載置台７１の側に押される。そして用紙Ｓの両側の姿勢が矯正される。
【００８９】
その結果、（１）両側立ち上りカール、（２）用紙角立ち上りカールのようなカールを有する用紙Ｓに対して、用紙の角折れ及び用紙の不揃いのない、きれいな綴じ処理済みの冊子が提供できるようになった。また、上記の用紙に起因する綴じ部ジャムも解消することができた。
【００９０】
本発明は上記実施形態に限定されるものではない。
【００９１】
例えば、補助ソレノイド７７５のオンは、巻戻しローラ７７１を振り子運動させるソレノイド７７４のオンと同じタイミングにしてもよい。用紙Ｓの中央部と両側部が同時に用紙載置台７１側に押されるために、用紙Ｓを効率良く規制できるという長所がある。
【００９２】
また、前記の巻戻しローラ７７１の振り子運動と連係するような機構でガイド部材７３２を変位可能にするようにしてもよい。
【００９３】
また、第一の実施形態のガイド部材７３１に、補助ソレノイド７７５と連係する作動部材を作動させて、ガイド部材７３１を待機位置に回動するような構成でもよい。
【図面の簡単な説明】
【００９４】
【図１】画像形成装置、画像読み取り装置、用紙後処理装置から成る画像形成システムの全体構成図。
【図２】本発明に係る用紙後処理装置における用紙の搬送経路を示す全体構成図。
【図３】本発明に係る綴じ処理部の断面図。
【図４】ガイド部材の構成を示す斜視図（第１の実施形態）。
【図５】本発明に係わるガイド部材の作動状態（その１）を示す綴じ処理部の断面図。
【図６】本発明に係わるガイド部材の作動状態（その２）を示す綴じ処理部の断面図。
【図７】本発明に係わるガイド部材の作動状態（その３）を示す綴じ処理部の断面図。
【図８】ガイド部材の構成を示す斜視図（第２の実施形態）。
【図９】本発明を実施していない従来の綴じ処理部の断面図。
【符号の説明】
【００９５】
１５  入口搬送ローラ対（用紙排出手段）
７０  綴じ処理部
７０１、７０２  綴じ手段
７１  用紙載置台
７２１、７２２  突当部材
７３  幅整合部材
７３１、７３２  ガイド部材
７３２Ｂ  ガイドローラ
７７５  補助ソレノイド（ガイド部材変位手段）
Ａ  画像形成装置
ＦＳ  用紙後処理装置
Ｓ  用紙
Ｓａ  用紙束
【図１】
2009249049.tif 000003
【図２】
2009249049.tif 000004
【図３】
2009249049.tif 000005
【図４】
2009249049.tif 000006
【図５】
2009249049.tif 000007
【図６】
2009249049.tif 000008
【図７】
2009249049.tif 000009
【図８】
2009249049.tif 000010
【図９】
2009249049.tif 000011